(57)【要約】【課題】ねじれ変形を低減することができるフロントピラー下部構造を提供すること。【解決手段】車体上下方向に延設する直立部２と、直立部２の下端から車体後方に延設する水平部３と、直立部２と水平部３とに亘り車幅方向に突出成形される膨出部４と、直立部２と水平部３との縁部に亘り一体的に形成されるフランジ部５，６，７とを備えるフロントピラー下部構造であって、直立部２の下端と水平部３の前端とから形成される角部と水平部３の上縁部との間で膨出部４を貫通するように形成されるクロスビード９を備えるようにした。【選択図】図１
2007125951.tif 000002
【特許請求の範囲】
【請求項１】
車体上下方向に延設する直立部と、
前記直立部の下端から車体後方に延設する水平部と、
前記直立部と前記水平部とに亘り車幅方向に突出成形される膨出部と、
前記直立部と前記水平部との縁部に亘り一体的に形成されるフランジ部とを備えるフロントピラー下部構造であって、
前記直立部の下端と前記水平部の前端とから形成される角部と前記水平部の上縁部との間で前記膨出部を貫通するように形成されるクロスビードを備える
ことを特徴とするフロントピラー下部構造。
【請求項２】
請求項１に記載のフロントピラー下部構造において、
前記直立部に車体前後方向略水平に形成される水平ビードを備える
ことを特徴とするフロントピラー下部構造。
【請求項３】
請求項１または２に記載のフロントピラー下部構造において、
前記クロスビードの端部を閉塞する
ことを特徴とするフロントピラー下部構造。
【発明の詳細な説明】
【技術分野】
【０００１】
本発明は、フロントピラー下部構造に関する。
【背景技術】
【０００２】
車両を構成するボディは、エンジン等の各種装置を固定するものであると同時に、車両の外観をなすものとして大きな意味をもっている。車両の外観は、ユーザが直接目にするものであることから、車両の外観における品質は、車両を製造する上で最も重要な要素の一つであるといえる。中でも、ユーザにより開閉動作が行われるドア周辺の外観品質は重要であり、このドアを支持するドア周りを構成する部材の部品精度や組み付け精度を向上させることが車両の品質を維持または向上させる要因となっている。そして、ボディを構成する部材は鋼板をプレス成形したものが多く使用されており、各部位に応じて様々な板厚や材質で形成されている。
【０００３】
そこで、車両のドア周りを構成する従来のフロントピラーの下部構造について図６乃至８を用いて説明する。なお、図６乃至８に示すフロントピラインナロア１０１は、図示しないフロントピラーの下部に設けられるものである。
【０００４】
図６に示すように、フロントピラインナロア１０１は、略直立方向に延設する直立部１０２と、車体前後方向に延設する水平部１０３とから構成されており、この直立部１０２の下部から水平部１０３に亘り、車幅方向内側に突出する膨出部１０４が形成されている。そして、この膨出部１０４の前部、即ち、直立部１０２の前縁部には前フランジ部１０５が形成され、膨出部１０４の下部、即ち、水平部１０３の下縁部には下フランジ部１０６が形成され、膨出部１０４の後方上部、即ち、直立部１０２の後縁部から水平部１０３の上縁部に亘り後フランジ部１０７が形成されている。
【０００５】
ここで、所定の板材から上述したフロントピラインナロア１０１をプレス成形すると、図６に示すように、このプレス成形時には、前フランジ部１０５と下フランジ部１０６とから形成される角部に向かうに従い、縮み応力Ｔ１が発生する一方、後フランジ部１０７に向かうに従い、伸び応力Ｔ２（＞縮み応力Ｔ１）が発生する。そして、図７に示すように、成形後（離型後）のフロントピラインナロア１０１には、前フランジ部１０５と下フランジ部１０６とから形成される角部に向かうに従い、縮み応力Ｔ１と反対方向（伸び方向）に作用する残留応力Ｓ１が発生する一方、後フランジ部１０７に向かうに従い、伸び応力Ｔ２と反対方向（縮み方向）に作用する残留応力Ｓ２（＞残留応力Ｓ１）が発生する。
【０００６】
このように、残留応力Ｓ１，Ｓ２が発生すると、その近傍においてねじれモーメントＭ１，Ｍ２が作用し、これにより、フロントピラインナロア１０１にはスプリングバックによるねじれ変形が生じる。このフロントピラインナロア１０１に発生したスプリングバック変形量の大きさを図８に示すが、この図８からも解るように、前フランジ部１０５と下フランジ部１０６とから形成される角部から後フランジ部１０７に向けて徐々にスプリングバック変形量が大きくなっていることが解る。
【０００７】
つまり、フロントピラインナロア１０１のような複雑な形状をプレス成形すると、プレス成形により付加される応力のバランスが崩れるので、成形後の離型した際にこの応力が開放されると、残留応力が不均一に生じて、様々なスプリングバックの影響で、ねじれモーメントによるねじれ変形が生じることになる。
【０００８】
そして、上述したスプリングバックはプレス成形品の精度を低下させるものであり、従来からプレス成形品のスプリングバック量を低減させる構造が種々提供されている。このようなプレス成形品の構造は、例えば、特許文献１に開示されている。
【０００９】
【特許文献１】特開平６−５５２３１号公報
【発明の開示】
【発明が解決しようとする課題】
【００１０】
しかしながら、前記特許文献１に記載開示されるプレス成形品の構造は、プレス成形品の形状が比較的簡素な場合のみに有効であり、スプリングバックの低減を図ったもので、ねじれ変形に対する対策は何ら講じられていない。また、近年の車両においては、衝突安全性や走行安定性等の観点から、ボディの剛性向上が求められており、プレス成形される部品の中には超高張力鋼板等の材料で形成されるものがある。このような特殊鋼板を使用した場合のねじれ変形は、一般鋼板を使用した場合に比べて、大きくなる傾向にある。よって、従来の構成では、複雑な形状をプレス成形する場合や特殊鋼板を使用した場合には、高精度に成形することは困難であると考えられる。
【００１１】
従って、本発明は上記課題を解決するものであって、ねじれ変形を低減することができるフロントピラー下部構造を提供することを目的とする。
【課題を解決するための手段】
【００１２】
上記課題を解決する第１の発明に係るフロントピラー下部構造は、
車体上下方向に延設する直立部と、
前記直立部の下端から車体後方に延設する水平部と、
前記直立部と前記水平部とに亘り車幅方向に突出成形される膨出部と、
前記直立部と前記水平部との縁部に亘り一体的に形成されるフランジ部とを備えるフロントピラー下部構造であって、
前記直立部の下端と前記水平部の前端とから形成される角部と前記水平部の上縁部との間で前記膨出部を貫通するように形成されるクロスビードを備える
ことを特徴とする。
【００１３】
上記課題を解決する第２の発明に係るフロントピラー下部構造は、
第１の発明に係るフロントピラー下部構造において、
前記直立部に車体前後方向略水平に形成される水平ビードを備える
ことを特徴とする。
【００１４】
上記課題を解決する第３の発明に係るフロントピラー下部構造は、
第１または２の発明に係るフロントピラー下部構造において、
前記クロスビードの端部を閉塞する
ことを特徴とする。
【発明の効果】
【００１５】
第１の発明に係るフロントピラー下部構造によれば、車体上下方向に延設する直立部と、前記直立部の下端から車体後方に延設する水平部と、前記直立部と前記水平部とに亘り車幅方向に突出成形される膨出部と、前記直立部と前記水平部との縁部に亘り一体的に形成されるフランジ部とを備えるフロントピラー下部構造であって、前記直立部の下端と前記水平部の前端とから形成される角部と前記水平部の上縁部との間で前記膨出部を貫通するように形成されるクロスビードを備えることにより、スプリングバックの変形量を規制することができるので、ねじれ変形を低減することができる。
【００１６】
上記課題を解決する第２の発明に係るフロントピラー下部構造によれば、第１の発明に係るフロントピラー下部構造において、前記直立部に車体前後方向略水平に形成される水平ビードを備えることにより、前記直立部のスプリングバックの変形量を規制することができるので、フロントピラー部材全体のねじれ変形をより低減することができる。
【００１７】
上記課題を解決する第３の発明に係るフロントピラー下部構造によれば、第１または２の発明に係るフロントピラー下部構造において、前記クロスビードの端部を閉塞することにより、設計要件の制約にも対応することができる。
【発明を実施するための最良の形態】
【００１８】
以下、本発明に係るフロントピラー下部構造を図面を用いて詳細に説明する。図１は本発明の一実施例に係るフロントピラインナロア構造の正面図、図２は図１のＡ−Ａ矢視断面図、図３はフロントピラインナロアの成形後におけるスプリングバック変形量を示すマップ図、図４はクロスビードの他の形状を示した模式図、図５は本発明の他の実施例に係るフロントピラリンフォースロア構造の正面図である。
【００１９】
一般に、フロントピラーは、車幅方向外側に配置されるフロントピラアウタと、このフロントピラアウタの車幅方向内側に配置されるフロントピラインナと、フロントピラアウタとフロントピラインナとの間に配置されるフロントピラリンフォースとから構成されている。ここで、本発明に係るフロントピラー下部構造は、上記のフロントピラインナの下部、即ち、フロントピラインナロアについて説明するが、勿論、フロントピラアウタまたはフロントピラリンフォースの下部にも適用可能である。
【００２０】
図１に示すフロントピラインナロア１は超高張力鋼板の板材を用いてプレスにより成形されたものであり、図１はこのフロントピラインナロア１の表面（車幅方向内側の面）を図示したものである。
【００２１】
フロントピラインナロア１は、略直立方向に延設する直立部２と、車体前後方向に延設する水平部３とから構成されている。直立部２は、上述したフロントピラアウタの下部（フロントピラアウタロア）及び後述するフロントピラリンフォース２１の下部（フロントピラリンフォースロア２２）と重合接合されて閉断面をなし、フロントピラーの下部を構成するものである。一方、水平部３は、その裏面（車幅方向外側の面）において、図示しないサイドシルと接合されるものである。
【００２２】
また、直立部２の下部から水平部３に亘り、車幅方向内側に突出する膨出部４が形成されている。そして、この膨出部４の前部、即ち、直立部２の前縁部には前フランジ部５が形成され、膨出部４の下部、即ち、水平部３の下縁部には下フランジ部６が形成され、膨出部４の後方上部、即ち、直立部２の後縁部から水平部３の上縁部に亘り後フランジ部７が形成されている。
【００２３】
更に、直立部２の上部には水平ビード８が形成される一方、膨出部４にはクロスビード９が形成されている。水平ビード８は凹状（車幅方向外側に突出）または凸状（車幅方向内側に突出）に形成されると共に、直立部２の前後方向全域に亘り略水平に形成されている。一方、図２に示すように、クロスビード９は凹状（車幅方向外側に突出）または凸状（車幅方向内側に突出）に形成されており、直立部２と水平部３とから形成される角部と、水平部３の上縁部とに亘り直線状に形成されている。このとき、クロスビード９の両端部は、膨出部４を貫通、即ち、突き抜けて形成するようにしている。そして、このビード８，９は、プレス成形時の膨出部４を成形する絞り工程において成形されたものである。
【００２４】
つまり、図７から残留応力の差が成形後のねじれ変形に影響することが解る一方、図７，８から残留応力とスプリングバック変形量とが略相関していることが解るので、残留応力の差が大きい部分、即ち、スプリングバック変形量の差が大きい部分を橋渡しするようにクロスビード９を設けるようにした。このとき、クロスビード９の延設長さは、最も長くなるように形成させることにより、効率良く剛性を向上できる。従って、クロスビード９を直立部２の下端と水平部３の前端とから形成される角部と水平部３の上縁部との間に設けることにより、フロントピラインナロア１の剛性が向上され、ねじれ変形を低減させることができる。また、水平ビード８とクロスビード９との組み合わせにより、より効果的にねじれ変形を低減させることができる。
【００２５】
なお、本実施例においては、図２に示すように、クロスビード９の断面形状を半円状に形成させているが、これに限定されることはなく、例えば、Ｖ形や角形等であっても構わない。また、相手部品との接合条件に制約が生じる場合等には、図４に示すように、クロスビード９の端部を膨出部４に貫通させない、即ち、閉じるように形成させても構わない。
【００２６】
更に、図４に示すように、本発明に係るフロントピラー下部構造をフロントピラリンフォース２１の下部構造に適用しても構わない。図５に示すフロントピラリンフォース２１の下部にはフロントピラリンフォースロア２２が設けられており、このフロントピラリンフォースロア２２にはクロスビード２３が形成されている。なお、図５に示すフロントピラリンフォース２１は表面（車幅方向外側の面）を示しており、このフロントピラリンフォースロア２２の裏面にフロントピラインナロア１が接合される。従って、クロスビード２３をフロントピラリンフォースロア２２のスプリングバック変形量に基づいて形成させることにより、フロントピラリンフォースロア２２の剛性が向上され、ねじれ変形を低減させることができる。
【産業上の利用可能性】
【００２７】
スプリングバック変形量が不均一に分布される成形品に適用可能である。
【図面の簡単な説明】
【００２８】
【図１】本発明の一実施例に係るフロントピラインナロア構造の正面図である。
【図２】図１のＡ−Ａ矢視断面図である。
【図３】フロントピラインナロアの成形後におけるスプリングバック変形量を示すマップ図である。
【図４】ロスビードの他の形状を示した模式図である。
【図５】本発明の他の実施例に係るフロントピラリンフォースロア構造の正面図である。
【図６】従来例に係るフロントピラインナロア構造の正面図である。
【図７】従来のフロントピラインナロアの成形後における残留応力の状態を示した図である。
【図８】従来のフロントピラインナロアの成形後におけるスプリングバック変形量を示すマップ図である。
【符号の説明】
【００２９】
１      フロントピラインナロア
２      直立部
３      水平部
４      膨出部
５      前フランジ部
６      下フランジ部
７      後フランジ部
８      水平ビード
９      クロスビード
２１    フロントピラリンフォース
２２    フロントピラリンフォースロア
２３    クロスビード
【図１】
2007125951.tif 000003
【図２】
2007125951.tif 000004
【図３】
2007125951.tif 000005
【図４】
2007125951.tif 000006
【図５】
2007125951.tif 000007
【図６】
2007125951.tif 000008
【図７】
2007125951.tif 000009
【図８】
2007125951.tif 000010